(57)【要約】【課題】表示灯の視認性を向上させることができ、且つ、火災感知器の小型化をすることができる火災感知器を提供する。【解決手段】感知器筐体２の内部に設けられた発光素子８と、その発光素子８が発する光を感知器筐体２の外部に導光するライトガイド９とを有する表示灯１０を備えた火災感知器１において、前記感知器筐体２は、前部に位置するカバー４であって、支柱部４ｃによって支持されて前方に突出し、前端部に位置して内側の部品を保護する前端保護部４ｄが設けられたカバー４を有するものであり、前記ライトガイド９は、前記前端保護部４ｄを支持し、前記支柱部４ｃを兼ねるように設けられたものであることを特徴とする。【選択図】図３
2015069484.tif 000002
【特許請求の範囲】
【請求項１】
感知器筐体の内部に設けられた発光素子と、その発光素子が発する光を感知器筐体の外部に導光するライトガイドとを有する表示灯を備えた火災感知器において、
前記感知器筐体は、前部に位置するカバーであって、支柱部によって支持されて前方に突出し、前端部に位置して内側の部品を保護する前端保護部が設けられたカバーを有するものであり、
前記ライトガイドは、前記前端保護部を支持し、前記支柱部を兼ねるように設けられたものであることを特徴とする火災感知器。
【請求項２】
前記ライトガイドは、感知器筐体の前方及び／又は側方に向けて光を照射するものであることを特徴とする請求項１に記載の火災感知器。
【請求項３】
前記ライトガイドが２つ、前記カバーの径方向対称位置に位置するように設けられていることを特徴とする請求項１又は２に記載の火災感知器。
【発明の詳細な説明】
【技術分野】
【０００１】
この発明は、火災を検出する火災感知器に関する。
【背景技術】
【０００２】
火災感知器には種々のもの（例えば、煙感知器や熱感知器。）があるが、通常、火災の発生を検出したこと等を表示する表示灯を有している。
【０００３】
火災感知器の表示灯は、点灯部分を火災感知器筐体の前部に位置させることにより、その視認性を向上させることができる。そこで、従来の火災感知器において、筐体内部に設けた発光素子が発する光を筐体内部から筐体前部の最も前方に突出した面まで導光する光ガイド部材を設け、それにより火災感知器の周囲全域から表示灯の点灯を確認できるようにすることを提案しているものがある（特許許文献１参照。）。
【先行技術文献】
【特許文献】
【０００４】
【特許文献１】特開２００７−１１６８４号公報
【発明の概要】
【発明が解決しようとする課題】
【０００５】
しかしながら、前記の従来例の場合、光ガイド部材を筐体内部の光源から筐体前部に至るまで筐体内部を貫通させて設けたものとなっているので、筐体内部に光ガイド部材を貫通させるための大きなスペースが必要であり、その分火災感知器が大型化してしまうという問題がある。又、光ガイド部材は筐体の前部から平坦な先端部のみが外部に露出するものとなっており、その平坦な先端部のみから導光した光を外部に向けて照射するものとなっているので、火災感知器の前方（火災感知器を天井面等に下向きに設置した場合は下方。）に向けてしか導光した光を照射することができず、火災感知器に近い位置からの視認性は良くなるが、火災感知器を側面側から見ることとなる火災感知器に遠い位置からの視認性は悪くなるという問題がある。
【０００６】
この発明は、前記の事情に鑑み、表示灯の視認性を向上させることができ、且つ、火災感知器の小型化をすることができる火災感知器を提供することを目的とする。
【課題を解決するための手段】
【０００７】
この発明は、感知器筐体の内部に設けられた発光素子と、その発光素子が発する光を感知器筐体の外部に導光するライトガイドとを有する表示灯を備えた火災感知器において、前部に位置するカバーであって、支柱部によって支持されて前方に突出し、前端部に位置して内側の部品を保護する前端保護部が設けられたカバーを有するものであり、前記ライトガイドは、前記前端保護部を支持し、前記支柱部を兼ねるように設けられたものであることを特徴とする火災感知器である。
【０００８】
又、この発明は、前記ライトガイドは、感知器筐体の前方及び／又は側方に向けて光を照射するものであることを特徴とする火災感知器である。
【０００９】
又、この発明は、前記ライトガイドが２つ、前記カバーの径方向対称位置に位置するように設けられていることを特徴とする火災感知器である。
【発明の効果】
【００１０】
この発明においては、ライトガイドを筐体の前部に位置するカバーの前端保護部を支持し、その支柱部を兼ねるように設けられたものとしていることで、前記の従来例のようにライトガイドを筐体内部の光源から筐体の前部に至るまで筐体内部を貫通させて設けなくとも、ライトガイドを筐体の前部に位置させることができる。即ち、表示灯の視認性を向上させることができながら、前記の従来例のように筐体の内部にライトガイドを貫通させるための大きなスペースを設ける必要をなくすることができ、筐体の小型化をすることができる。
【００１１】
従って、この発明によれば、表示灯の視認性を向上させることができ、且つ、火災感知器の小型化をすることができる火災感知器を提供することができる。
【００１２】
又、この発明においては、前記の通り、筐体の前部に設けられるカバーの前端保護部を支持する支柱部を兼ねるように設けられたものとしていることで、ライトガイドはカバーの前端保護部を支持する部分が外部に露出することになるので、導光した光を感知器筐体の前方に向けて照射させるようにすることができるだけでなく、感知器筐体の側方に向けても照射させるようにすることができる。即ち、近い位置からの表示灯の視認性を向上させることができるだけでなく、離れた位置からの表示灯の視認性も向上させることができる。
【００１３】
従って、この発明によれば、表示灯の視認性を更に向上させることができる火災感知器を提供することができる。
【図面の簡単な説明】
【００１４】
【図１】この発明の実施形態の一例を示し、感知器全体の斜視図である。
【図２】同上を示し、感知器全体の前面側から平面視で示した平面図である。
【図３】同上を示し、感知器全体の拡大縦断面図である。
【図４】同上を示し、ライトガイドのみを拡大して示した斜視図である。
【図５】同上のライトガイドのみを拡大して示したものであり、（ａ）が先端側から平面視で示した平面図、（ｂ）が側面図である。
【発明を実施するための形態】
【００１５】
この発明の実施形態について、火災感知器として煙感知器に適用する場合を例に図面に基いて説明する。
【００１６】
先ず、この発明の火災感知器の実施形態の一例である煙感知器１の全体構成について図１乃至図３に基づいて説明する。尚、以下の説明において、「上」、「下」等の位置又は方向等を表す語を用いているが、それらは図面上の感知器の向きに応じて相対的に用いたものであり、感知器の向きが変わればそれに応じて変わるものである。例えば、図１乃至図３は感知器を上向きとし、感知器筐体のカバー側を上に示すと共に、感知器筐体の本体側を下に示したものであるが、感知器を下向きにすれば上下は反転し、感知器を横向きにすれば上下は左右に変わることになる。
【００１７】
煙感知器１は、火災発生時の煙を光学的に検知する光電式のものであり、感知器筐体２内に各種電気部品が実装される回路基板５、煙を光学的に検出するための検煙部を包囲し、上部に光学台カバー６ａが装着されて暗箱を構成する環状のラビリンス部６ｂが設けられた光学台６、帯状の金属材料に複数の穴（図示省略）を形成してなり、ラビリンス部６ｂの外周に環状に装着された帯状の防虫網７等を備えている。尚、１１は、煙感知器１の取り付け面へ取り付けるためのベース（図示省略）と嵌合する嵌合金具である。
【００１８】
又、煙感知器１は、感知器の動作状態等を表示する表示灯として、回路基板５に実装された発光素子８と、発光素子８が発光する光を導光するライトガイド９とからなり、発光素子８が筐体２の内部で発光する光をライトガイド９が筐体２の外部に導光するように設けられた表示灯１０を更に備えている。尚、本実施形態において、表示灯１０は２つ設けられており、それらの２つのライトガイド９が筐体２の周縁部の径方向対称位置に配置されて設けられている。
【００１９】
更に、煙感知器１において、感知器筐体２は本体３とカバー４とを有しており、カバー４が本体３に前方から取り付けられて前部に位置するものとなっているが、カバー４には、複数の支柱部４ｃによって支持されつつ前方に突出するように設けられ、筐体２の前端部に位置して内部を保護する前端保護部となる天板部４ｄが設けられている。尚、本実施形態において、カバー４は、本体３の周壁部３ａの前部に取り付けられて周壁部３ａと共に筐体２の側部に位置して内部を保護する周壁部４ａを有し、その周壁部４ａから天板部４ｄが複数の支柱部４ｃによって支持されつつ前方に突出するように設けられており、且つそれら３者が一体のものとして形成されて設けられている。
【００２０】
そして、煙感知器１において、表示灯１０のライトガイド９は、カバー４の前端保護部である天板部４ｄを支持するように設けられており、その天板部４ｄを支持する部分が柱状に形成されている。即ち、表示灯１０のライトガイド９は、前記の複数の支柱部４ｃと共に天板部４ｄを支持する支柱部を兼ねるように設けられている。尚、本実施形態においては、前記の通り、表示灯１０は２つ設けられており、２つのライトガイド９が筐体２の周縁部の径方向対称位置に設けられているが、それら２つのライトガイド９は、何れも、天板部４ｄを支持するように設けられており、前記の複数の支柱部４ｃと共に天板部４ｄを支持する支柱部を兼ねるように設けられている。
【００２１】
ここで、本実施形態の場合、カバー４には、その周囲に側方に向けて開口する複数の開口部４ｂが周方向に略等角度に並んで設けられている。これら複数の開口部４ｂは、光学台６の周囲に位置しており、検煙部への煙を含む気流の流通口として機能するものである。又、カバー４において、前記の複数の支柱部４ｃは４つ設けられており、即ち、天板部４ｄは４つの支柱部４ｃと２つのライトガイド９との合計６個により支持されている。２つのライトガイド９は、前記の通り、筐体２の周縁部の径方向対称位置に配置されて設けられているが、４つの支柱部４ｃは、それら２つのライトガイド９を含めて６個全体として筐体２の周方向に略等角度間隔、即ち略６０度間隔で位置するように配置されて設けられている。更に、前記の複数の開口部４ｂは、４つの支柱部４ｃと２つのライトガイド９とによって各開口部間が仕切られるように設けられており、即ち、その数としては６つ設けられている。尚、これら支柱部４ｃ、ライトガイド９及び開口部４ｂの数、配置等については、適宜変更することができる。
【００２２】
煙感知器１は、前記の通り構成されるものであるところ、ライトガイド９を筐体２の前部に設けられるカバー４の前端保護部となる天板部４ｄを支持する支柱部を兼ねるように設けられたものとしていることで、筐体２の前部に至るまで内部を軸方向に貫通させずに、ライトガイド９を筐体２の前部に位置させることができるようになっている。それにより表示灯１０の視認性を向上させることができるようになっていながら、筐体２の内部にライトガイド９を貫通させるための大きなスペースを設ける必要がなく、筐体２の小型化をすることができるようになっている。
【００２３】
又、ライトガイド９を筐体２の前部に設けられるカバー４の前端保護部となる天板部４ｄを支持する支柱部を兼ねるように設けられたものとしていることで、その支柱部を兼ねる部分を外部に露出させることができるので、例えば、詳細は後記で説明するが、外部に露出する部分の先端部に筐体２の前方に向けて光を照射させるための先端出射部９ｂを設けると共に、外部に露出する部分の側部に筐体２の側方に向けて光を照射させるための側部出射部９ｃを設けることができるようになっており、導光した光を筐体２の前方だけでなく、筐体２の側方に向けても照射させるようにすることができ、表示灯１０の視認性を近い位置からのものだけでなく、煙感知器１を側方から見ることとなる遠い位置からのものも向上させることができるようになっている。
【００２４】
つまり、煙感知器１は、ライトガイド９を筐体２の前部に設けられるカバー４の前端保護部となる天板部４ｄを支持する支柱部を兼ねるように設けられたものとしていることで、表示灯１０の視認性を向上させることができ、且つ、感知器の小型化をすることができるようになっており、又、表示灯１０の視認性を更に向上させることができるようになっている。
【００２５】
ここで、煙感知器１において、ライトガイド９を単に開口部４ｂ内に臨むように設けることによっても、ライトガイド９を筐体２の前部に位置させることができるが、開口部４ｂは、前記の通り、検煙部への煙を含む気流の流通口として機能するものであり、それら開口部４ｂ内に位置する部材を設けるのは好ましくない。煙感知器１は、ライトガイド９を天板部４ｄを支持する支柱部を兼ねるものとしていることで、ライトガイドを開口部４ｂ内に位置させることなしに、即ち、開口部４ｂの煙を含む気流の流通口としての機能を阻害することなしに、ライトガイド９を筐体２の前部に位置させることができるようになっている。
【００２６】
尚、煙感知器１は、前記の通り、本実施形態においては、表示灯１０が筐体２の径方向対称位置に２つ設けられたものとなっており、それによっても表示灯１０の視認性を更に向上させることができるものとなっている。また、前端保護部である天板部４ｄは円形でなくともよく、その場合には、ライトガイド９を天板部４ｄの中心を挟むように対称位置に配置されて設けられることで、天板部４ｄが円形であるときと同様の効果をもたらす。
【００２７】
本実施形態の煙感知器１について、更に詳細に説明する。
【００２８】
各表示灯１０において、ライトガイド９は、全体として断面略Ｌ字をなす形状を有し、その形状に沿った略Ｌ字状の導光軌跡Ａ１を有しているが、長辺部分の下部がカバー４の周壁部４ａの内部側に当接し接着され、長辺部分の上部がカバー４の周壁部４ａの上端から筐体２の内部より外部に臨み、周壁部４ａと天板部４ｄとの間に位置して隣接する開口部４ｂ間を仕切る部分において筐体２の外部に露出している。ライトガイド９は、その露出する部分に導光した光を出射する出射部として、本実施形態の場合、筐体２の前方に向けて光を出射する先端出射部９ｂと、側方に向けて光を出射する側部出射部９ｃとを有している。尚、回路基板５に実装されている発光素子８が発する光が入射する入射部９ａは、筐体２の内部に位置する短辺部分に設けられているが、本実施形態の場合、回路基板５の光学台６が取り付けられる側の面に対向する位置に設けられており、回路基板５の反対側の面に実装される発光素子８からの光が回路基板５に設けられている貫通孔５ａを介して集光されて入射するものとなっている。
【００２９】
又、ライトガイド９は、長辺部分の先端部がカバー４の前端保護部である天板部４ｄまで至るものとなっており、その先端部に前記の先端出射部９ｂが設けられている。即ち、ライトガイド９は、カバー４の略前端位置において先端出射部９ｂから光を筐体２の前方に向けて出射するものとなっている。尚、本実施形態の場合、先端出射部９ｂは、表面が多面カット（多面カットの形状については、後記で更に詳細に説明する。）された形状になっており、光を拡散させながら筐体２の前方に向けて光を出射することができるようになっている。
【００３０】
又、天板部４ｄの外径は、周壁部４ａの内径より小さく、ライトガイド９は両者の間に位置し、前記の通り、先端部が天板部４ｄまで至るものとなっており、その先端部に先端出射部９ｂが設けられているが、本実施形態においては、その先端部に天板部４ｄに当接する当接部９ｄが更に設けられている。天板部４ｄは、主としてそれと一体に形成されている支柱部４ｃによって支持されているが、天板部９ｄに当接する当接部９ｄが設けられていることによりライトガイド９によっても支持されるようになっている。具体的には、当接部９ｄは、先端出射部９ｂの内側に隣接するように設けられており、天板部４ｄの周縁部の内面に設けられている受け部４ｅに当接するものとなっている。
【００３１】
又、ライトガイド９は、前記の通り、長辺部分に前記の通り側部出射部９ｃも有するものとなっており、それにより筐体２の側方に向けても光を照射させることができるようになっている。この側部出射部９ｃは、本実施形態の場合、ライトガイド９の長辺部分の筐体２の内側に面する側面に設けられており、筐体２の外部に向けて光を出射する斜面部９ｅと筐体２の内部に向けて光を出射する斜面部９ｆを有するものとなっている。発光素子８から発せられ導光軌跡Ａ１を通ってきた光は、斜面部９ｅで反射されると平凸レンズを形成する曲面部９ｇによって筐体２の側方に向けて拡散できるようになっている。また、ライトガイド９は、光学台６の外周に設けられている金属製（光沢のある樹脂製としてもよい。）の防虫網７の外周面に対向する位置に設けられており、斜面部９ｆで反射され出射した光を曲面である防虫網７の外周面によって筐体２の側方に向けて拡散させながら反射させることができるようになっている。尚、この側部出射部９ｃは、本実施形態の場合、長辺部分の軸方向に沿って連続する断面鋸刃形状をなすものとなっている（これについては、後記で更に詳細に説明する。）。
【００３２】
次に、図４及び５に基づいて、ライトガイド９について更に詳細に説明する。
【００３３】
ライトガイド９において、先端出射部９ｂは、前記の通り長辺部分の先端部に設けられているが、そのドーム状に隆起した表面が多面カット（図示の例では複数の六角錐状の隆起が組み合わさり２４面カットとなっている）された形状のものとなっており、光を前方に向けて拡散させながら出射させることができるようになっている。このライトガイド９における先端出射部９ｂの多面カットの形状によっても、表示灯１０の視認性を更に向上させることができるようになっている。
【００３４】
又、ライトガイド９において、側部出射部９ｃは、前記の通り長辺部分の筐体２の内側に面する側の側面に設けられ、曲面である曲面部９ｇおよび防虫網７の外周面によって筐体２の側方に向けて拡散させることができるようになっているが、本実施形態の場合、その形状が長辺部分の軸方向に連続する断面略鋸刃形状をなすものとなっており、曲面部９ｇおよび防虫網７の外周面に向けて光を出射する際にも光を拡散させることができるようになっている。即ち、ライトガイド９は、側部出射部９ｃの断面鋸刃の形状によっても、表示灯１０の視認性を更に向上させることができるようになっている。尚、ライトガイド９において、側部出射部９ｃは、筐体２の外側に面する側の側面に設けるようにしてもよい。
【００３５】
又、ライトガイド９において、当接部９ｄは、前記の通り、長辺部分の先端部に設けられ、天板部４ｄの受け部４ｅと当接して天板部４ｄを支持するようになっているが、具体的には、先端出射部９ｂの内側の位置に設けられており、天板４ｄの周縁部の内面に設けられている受け部４ｅ（図３参照）と当接するものとなっている。尚、本実施形態の場合、ライトガイド９の当接部９ｄは、平坦な形状のものとなっているが、ライトガイド９による天板部４ｄの支持力を高めることができるようにそれぞれの形状が互いに嵌り合うように接合する形状のものとしてもよい。例えば、当接部９ｄの形状は、長辺部分の先端部に凸状に形成されたものとし、その形状に対応するように受け部４ｅは天板部４ｄの周縁部の内面に凹状に形成されたものとし（凹凸を逆にしてもよい）、両者が嵌り合うように接合するものとしてもよい。
【００３６】
以上、この発明の実施形態の一例について説明したが、この発明は上記の実施形態に限定されるものではなく、発明の要旨の範囲以内で適宜変更等が可能である。
【００３７】
例えば、上記の実施形態では、ライトガイド９の長辺部分の下部がカバー４の周壁４ａに当接するようにしているが、従来の特許文献１の火災感知器のように、カバー４が周壁４ａと鍔状の正面部を有し、正面部から突出するように天板部４ｄが形成される場合には、ライトガイド９の長辺部分の下部を正面部と当接する適切な形状としてもよい。
【００３８】
尚、上記の実施形態は煙感知器についてのものであるが、この発明は、感知器筐体の前部に支柱部によって支持された前端保護部を有するカバーを有するものであれば、煙感知器以外の火災感知器にも適用することができる。即ち、熱感知器においても、検知部（サーミスタ等）を前方から保護する部分として、支柱部よって支持された前端保護部を有するカバーを感知器筐体の前部に有するものがあるが（この種の熱感知器においても、検知部への熱気流の流通口として機能するものであるが、カバーの周囲に複数の開口部が周方向に並んで設けられており、各開口部間が前端保護部を支持する複数の支柱部によって支持されたものとなっている。尚、この種の熱感知器において、前端保護部は一般に環状の形状を有している。）、そのようなカバーを有するものであれば、表示灯を上記の実施形態で示したような配置構造によって設けることは可能であり、この発明の適用は可能である。
【符号の説明】
【００３９】
１：煙感知器  ２：感知器筐体  ３：本体  ３ａ：周壁部  ４：カバー
４ａ：周壁部  ４ｂ：開口部  ４ｃ：支柱部  ４ｄ：天板部  ４ｅ：受け部
５：回路基板  ５ａ：貫通孔  ６：光学台  ６ａ：光学台カバー  ６ｂ：ラビリンス部
７：防虫網  ８：発行素子  ９：ライトガイド  ９ａ：入射部  ９ｂ：先端出射部
９ｃ：側部出射部  ９ｄ：当接部  ９ｅ，９ｆ：斜面部  ９ｇ：曲面部  １０：表示灯
１１：嵌合金具  Ａ１：導光軌跡
【図１】
2015069484.tif 000003
【図２】
2015069484.tif 000004
【図３】
2015069484.tif 000005
【図４】
2015069484.tif 000006
【図５】
2015069484.tif 000007